(57)【要約】【課題】施工時等、試運転で体脂肪率測定に必要な基礎データの取込みが正確であるか否かの確認を容易化するとともに、体脂肪率の測定精度を高めた体脂肪率測定装置及びその方法を提供すること。【解決手段】給湯、浴槽水の追焚き又は暖房水の加熱に使用される給湯・追焚装置を用いる体脂肪率測定装置であって、浴槽２内の水位を検出する水位検出手段（水位センサ８）と、給湯・追焚装置１の注湯回路４を通して浴槽に一定量の湯を注湯させ、水位検出手段の検出結果を用いて注湯前後の水位変化量から注湯体積を演算し、その表示出力を発生する制御手段（制御装置１２）と、この制御手段の表示出力により、一定量の注湯に対する注湯体積を表す情報を提示する情報提示手段（表示装置２２）とを備えた構成としている。【選択図】        図１
2004278896.tif 000002
【特許請求の範囲】
【請求項１】
給湯、浴槽水の追焚き又は暖房水の加熱に使用される給湯・追焚装置を用いる体脂肪率測定装置であって、
浴槽内の水位を検出する水位検出手段と、
前記給湯・追焚装置の注湯回路を通して前記浴槽に一定量の湯を注湯させ、前記水位検出手段の検出結果を用いて注湯前後の水位変化量から注湯体積を演算し、その表示出力を発生する制御手段と、
この制御手段の前記表示出力により、前記一定量の注湯に対する前記注湯体積を表す情報を提示する情報提示手段と、
を備えたことを特徴とする体脂肪率測定装置。
【請求項２】
前記制御手段に注湯体積の試運転測定制御動作の開始スイッチを備えたことを特徴とする請求項１記載の体脂肪率測定装置。
【請求項３】
給湯、浴槽水の追焚き又は暖房水の加熱に使用される給湯・追焚装置を用いる体脂肪率測定方法であって、
浴槽内の水位を検出する処理と、
前記給湯・追焚装置の注湯回路を通して前記浴槽に一定量の湯を注湯させ、水位検出手段の検出結果を用いて注湯前後の水位変化量から注湯体積を演算する処理と、
一定量の注湯に対する前記注湯体積を提示する処理と、
を備えたことを特徴とする体脂肪率測定方法。
【発明の詳細な説明】
【０００１】
【発明の属する技術分野】
本発明は、給湯、浴槽水の追焚き又は暖房等に使用される給湯・追焚装置を用いる体脂肪率測定装置及びその方法に関し、より詳しくは施工時等、体脂肪率測定のための試運転で体脂肪率測定に必要な基礎データの取込みが正確であるか否かの確認が可能な体脂肪率測定装置及びその方法に関する。
【０００２】
【従来の技術】
肥満等の指標となる体脂肪率の測定には人体の比重測定による方法が知られている。この比重測定に基づく体脂肪率は例えば、次の計算式から求められる。
体脂肪率＝（  ４．５７０／体比重−  ４．１４２）×  １００              ・・・（１）
【０００３】
このような比重測定法では、水中に人体を沈め、その水没部分から体積を求め、この体積と体重から体比重を求め、式（１）から体脂肪率が求められることになる。
【０００４】
このような体脂肪率測定装置及び方法には、次の特許文献が存在する。
【０００５】
【特許文献１】
特開２００２−４５３４９号公報
【０００６】
特許文献１には、浴槽を用いた比重測定による体脂肪率測定方法及びその装置が開示されている。
【０００７】
そこで、既存の浴槽や給湯・追焚装置を使用すれば、この体脂肪率測定を容易に行うことができる。
【０００８】
【発明が解決しようとする課題】
ところで、浴槽は、その容積が既知であるものの、その内部に手すりやアームレスト等、種々の内形状を呈しており、かかる形状のため、通常、水位上昇と水量との関係が直線的にならない。単純な水位上昇を想定した水量や体積を求めることは実際の体積との間に誤差を生じさせ、正確な体脂肪率を求めることができない。このため、体脂肪率の測定にあたっては、浴槽の形状データを予め測定する試運転動作を行い、その形状データが基礎データとして体脂肪率の演算に用いられている。しかしながら、試運転を実行しても、浴槽の形状データが正しく測定されているか否かは、真値の体脂肪率との比較をしてみなければ、その形状データが正しいか否かを知ることができないという問題点があった。特許文献１に開示された発明でも、その点を解決したものではない。
【０００９】
そこで、本発明は、施工時等、試運転で体脂肪率測定に必要な基礎データの取込みが正確であるか否かの確認を容易化するとともに、体脂肪率の測定精度を高めた体脂肪率測定装置及びその方法を提供することを目的とする。
【００１０】
【課題を解決するための手段】
上記目的を達成するため、本発明の体脂肪率測定装置にあっては、給湯、浴槽水の追焚き又は暖房水の加熱に使用される給湯・追焚装置１を用いる体脂肪率測定装置であって、浴槽２内の水位を検出する水位検出手段（水位センサ８）と、前記給湯・追焚装置の注湯回路４を通して前記浴槽に一定量の湯を注湯させ、前記水位検出手段の検出結果を用いて注湯前後の水位変化量から注湯体積を演算し、その表示出力を発生する制御手段（制御装置１２）と、この制御手段の前記表示出力により、前記一定量の注湯に対する前記注湯体積を表す情報を提示する情報提示手段（表示装置２２）とを備えた構成としたものである。
【００１１】
このような構成によれば、既存の浴槽と給湯・追焚装置を用いて体脂肪率の測定が可能であり、その施工時等に、一定量の湯を浴槽に注湯し、その注湯の前後の水位変化から注湯体積を求め、一定量の注湯に対する注湯体積を情報提示手段に表示することにより、その体脂肪率の測定に用いる基礎データが正確であるか否かを容易に確認することが可能である。
【００１２】
また、上記目的を達成するためには、前記制御手段に注湯体積の試運転測定制御動作の開始スイッチ（体積試運転スイッチ２５、運転切替部１１２３）を備えた構成としてもよい。例えば、暖房・ふろ給湯器等では、暖房端末と双方向に通信を行う機能を搭載した製品が存在しているが、このような機器では、異常状態を表示する機能（ＬＥＤ１１２４）を機器本体に搭載しているので、その制御基板上に押しボタンスイッチ等、体積試運転測定制御動作の開始スイッチを設置すれば、そのスイッチの操作により一定量の注湯動作の開始、体積演算結果の表示等を行うことができ、体積試運転動作が簡略化される。
【００１３】
上記目的を達成するため、本発明の体脂肪率測定方法にあっては、給湯、浴槽水の追焚き又は暖房水の加熱に使用される給湯・追焚装置を用いる体脂肪率測定方法であって、浴槽２内の水位を検出する処理と、前記給湯・追焚装置の注湯回路４を通して前記浴槽に一定量の湯を注湯させ、水位検出手段（水位センサ８）の検出結果を用いて注湯前後の水位変化量から注湯体積を演算する処理と、一定量の注湯に対する前記注湯体積を提示する処理とを備えた構成としたものである。
【００１４】
このような体脂肪率測定方法によっても、同様の試運転処理が可能であり、体脂肪率の測定に必要な浴槽の形状データが正確であるか否かの確認を容易に行える。
【００１５】
【発明の実施の形態】
図１は本発明の体脂肪率測定装置及びその方法の実施形態に係る体脂肪率測定装置を示している。この体脂肪率測定装置には、給湯、浴槽水の追焚き又は暖房水の加熱に使用される給湯・追焚装置１が設置され、測定容器としての浴槽２には体脂肪率測定に必要な水として温水ＨＷ又は水Ｗが給湯・追焚装置１の注湯回路４を通じて循環口５から注湯される。この場合、循環口５を通じて注湯される湯は、冷水であってもよい。この注湯回路４には注水を制御する注湯電磁弁等の開閉弁６、浴槽水７の水位を検出する水位検出手段として、水位が圧力に表れることからその圧力から水位を検出する水位センサ８、浴槽２への注水量を検出する手段として水量センサ１０、湯又は水の圧送手段としてのポンプ１１が設けられている。
【００１６】
検出水量、検出水位等の検出情報に基づき、体脂肪率を測定する制御、又は開閉弁６の開閉制御等を実行する手段として制御装置１２が設けられ、この制御装置１２には、水位センサ８、水量センサ１０等の検出回路１４、開閉弁６を駆動する駆動回路１６、検出水位を表す圧力、検出水量等の各測定データ、入力データを記憶する記憶装置１８、演算に必要な情報等を入力する情報入力器２０、情報を表示する表示装置２２、試運転スイッチ２４、体積試運転スイッチ２５等が接続されている。記憶装置１８は、例えば、停電による記憶消失を防止したＲＡＭやＥＥＰＲＯＭで構成することができる。また、体積試運転スイッチ２５は、体積試運転モードへの移行開始スイッチである。
【００１７】
制御装置１２には、試運転スイッチ２４を通じて試運転指令が与えられるとともに、体積試運転スイッチ２５を通じて体積試運転指令が与えられ、情報入力器２０により被測定者の個別情報、例えば、人体の登録番号、身長、体重、年齢、性別等の情報が入力される。また、表示装置２２には、測定した体脂肪率や体脂肪率の測定手順等のガイダンスが視覚的又は聴覚的に表示される。
【００１８】
この実施例の場合、例えば、図２に示すように、その内側壁にアームレスト等の突出部として段部２６が設けられた浴槽２が用いられている。
【００１９】
次に、この体脂肪率測定装置及びその方法について、施工作業を図３を参照して説明する。図３は、製品の設置工事を行い、製品の動作確認を行ってユーザに製品を引き渡す前の施工作業の手順を示している。
【００２０】
製品を設置し、ガス、水、湯配管を接続する設置工事を行う（ステップＳ１）。次に、給湯燃焼や追焚燃焼動作を行い、ガス圧調整を行って燃焼関係の確認を行い（ステップＳ２）、後述のふろ自動試運転を行う（ステップＳ３）。このふろ自動試運転（ステップＳ３）の後、体積試運転の前に、実使用水位まで浴槽水を排水し、体積試運転の準備をする。そして、この体積試運転動作により、単位水位上昇毎の水量が正常な値かどうかを確認し（ステップＳ４）、施工を完了する。
【００２１】
そして、この体脂肪率測定装置及びその方法にあっては、浴槽の内形状を記憶するための試運転動作を含む制御が行われる。この測定制御を図４を参照して説明する。図４は、その測定制御の一例を示している。
【００２２】
この制御では、浴槽２の内形状の記憶試運転動作か否かが判定され（ステップＳ１１）、この場合、試運転スイッチ２４が操作されているか否かが判断される。試運転スイッチ２４がＯＮの場合には、浴槽２の内形状の記憶試運転動作モードに移行し（ステップＳ１２）、試運転スイッチ２４がＯＦＦの場合には、通常の制御動作モードに移行する（ステップＳ１３）。
【００２３】
記憶試運転動作モード（ステップＳ１２）では、浴槽２への注水とともに、その水位検出が行われ、その水位検出の取込みタイミングは一定の時間間隔、例えば、１００μｓで行われ、水位と水量との関係が記憶装置１８に取り込まれる。
【００２４】
また、通常の制御動作モード（ステップＳ１３）では、通常の水位制御又は体脂肪率測定か否かが判定され、通常の水位制御又は体脂肪率測定の場合には、水位検出の取込みタイミングは一定の時間間隔、浴槽２の内形状の記憶試運転動作モードより粗い時間間隔、例えば、０．５ｓで水位検出が行われる（ステップＳ１４）。
【００２５】
そして、浴槽２の内形状を記憶するための試運転動作モードを図５を参照して説明する。図５は、試運転モードの処理を示している。この試運転モードによって単位水位当たりの水量を求める処理が行われる。この処理により、アームレスト等の段部２６による浴槽２の内形状による検出水量（即ち、体積）の測定誤差を解消することができる。
【００２６】試運転スイッチ２４がＯＮしたか否かが判定され（ステップＳ２１）、この試運転スイッチ２４がＯＮしたとき、浴槽２への自動注湯（自動注水）が開始される（ステップＳ２２）。この自動注湯は浴槽２の循環口５を通して行われるので、連続注湯によって注水が進行すると、浴槽水７に循環口５が水没することになる。循環口５が水没すると、水没を表す圧力変化が水位センサ８に検出され、循環口５の水没水位を基準水位Ｌｒとし、この基準水位以上か否かを判定する（ステップＳ２３）。
【００２７】
連続注湯によって得られる所定の単位水位、例えば、１ｃｍの水位上昇毎に水量センサ１０の検出水量を取り込み、単位水位当たりの水量を記憶装置１８、例えば、ＲＡＭやＥＥＰＲＯＭに記憶する（ステップＳ２４）。このような単位水位と水量との関係から、浴槽２の内形状に応じて単位水位に対する水量が得られるので、その検出水量は浴槽２の内形状に応じたものとなる。
【００２８】
そして、連続注水の結果、水位センサ８の検出水位の変化がないか否かを判定し、その変化が停止すると（ステップＳ２５）、浴槽２の水位が上限点Ｌｍに達し、溢水状態を検出することになる。この溢水状態を水位センサ８が検出したとき、自動注湯（自動注水）を終了する（ステップＳ２６）。
【００２９】
このように注水を連続して行いながら、所定水位、例えば、１ｃｍの水位上昇毎に水量を測定し、水位と水量とを記憶装置１８に記憶すれば、その水位と水量との関係から浴槽２の内形状が記憶装置１８に記憶されることになる。
【００３０】
ここで、このような浴槽２の内形状を演算データに用いた人体の体脂肪率の測定方法を例えば、図６を参照して説明すると、先ず、この体脂肪率の測定には体比重（＝体重／全体積）を求めるために体積測定が必要である。この体積測定は人体の水没による水位測定を行うため、開閉弁６を開いて注湯回路４から水Ｗを設定水位ｈｓｅｔ  まで給水する。次に、浴槽２の浴槽水７中に人体を入れると、その水位がΔｈだけ上昇し、この上昇水位Δｈに相当する水量ΔＱが人体の水没部分であり、水量ΔＱから水没部分の体積を演算することができる。
【００３１】
この体積は、浴槽２の内形状を表す水位と水量との関係から求めることができる。そこで、図６に示すように、人体を水没させる前の浴槽水７の水位、即ち、水位上昇開始点の水位をｈｓ、人体を水没させた後の水位、即ち、水位上昇終了点の水位をｈｅとすると、水位ｈｓ、ｈｅ間の水位上昇Δｈの体積ΔＱは単位水位ｈにおける水量Ｑ１〜Ｑ７から求めることができ、単位水位と変化水位とが不一致である場合の開始点側の端数の水位ｈ１の体積をＱ１１、終了点側の端数の水位ｈ２の体積をＱ７７とすると、
【００３２】
Ｑ１１＝Ｑ１×（ｈ−ｈ１）／ｈ                    ・・・（２）
Ｑ７７＝Ｑ７×ｈ２／ｈ                            ・・・（３）
【００３３】
となるから、体積ΔＱは、水位上昇Δｈの各単位水位ｈの体積Ｑ２〜Ｑ６と端数分の加算値となり、
【００３４】
2004278896.tif 000003
となる。
【００３５】
この場合、水位上昇開始部分と終了部分は直線近似となるが、その演算誤差は従来のように浴槽２の内形状を加味しない演算に比較し、遙に誤差を低減することができ、精度の高い水位上昇Δｈ分の体積ΔＱを求めることができる。
【００３６】
ところで、この体積ΔＱには、未水没部分として例えば頭部等の体積が含まれておらず、体内残留空気量として、肺及び腸内の空気等が加わっている。このため、これら未測定部分や加算部分の体積は誤差となるので、情報入力器２０から入力された個別情報、例えば、身長、体重、年齢、性別等の情報から未水没部分の体積、呼吸時の肺及び腸内の残留空気量に相当する体積を演算し、推定値を求める。
【００３７】
例えば、頭部の体積の推定値は、次の通りである。
〔男標準値〕
頭部体積＝５×｛１＋体重÷（身長−  １００）｝÷２      ・・・（５）
〔女標準値〕
頭部体積＝  ４．８×｛１＋体重÷（身長−  １００）｝÷２    ・・・（６）
【００３８】
また、体内の残留空気量（体積）の推定値は、次の通りである。
〔男３０才未満〕
残留空気量＝  ０．４＋  ０．２×｛１−（３０−年齢）÷２０｝    ・・・（７）
〔男３０才以上〕
残留空気量＝  ０．４＋  ０．２×｛１−（年齢−３０）÷７０｝    ・・・（８）
〔女３０才未満〕
残留空気量＝０．４５＋  ０．２×｛１−（３０−年齢）÷２０｝    ・・・（９）
〔女３０才以上〕
残留空気量＝０．４５＋  ０．２×｛１−（年齢−３０）÷７０｝  ・・・（１０）
各係数は、統計的に求められた標準値である。
【００３９】
このように性別、体重、身長、年齢から上記関係式（５）〜（１０）によって求めた体積の２つの推定値（頭部体積は加算値、残留空気量の体積は減算値）と、既に測定している体積とを用いて人体の全体積を演算し、この全体積と体重等を演算情報に用いて体脂肪率が演算される。この体脂肪率は式（１１）より算出することができる。
【００４０】
2004278896.tif 000004
【００４１】
式（１１）において、全体積（＝測定体積＋α）は全人体の体積、測定体積は水没部分の体積、即ち、上昇水位から求めた体積、αは（α＝未水没部分の体積−体内残留空気量）により演算された体積、即ち、推定値である。この推定値αは個別の演算値の他、予め演算した推定値や統計により与えられる推定値を用いてもよい。
【００４２】
このように、本発明の体脂肪率測定装置及びその方法では、人体の一部を水面から露出させた状態で測定するので、被測定者に不快感を与えることなく、簡易に体脂肪率を測定することができる。
【００４３】
次に、本発明の体脂肪率測定装置及びその方法の実施形態に係る給湯・追焚装置を図７を参照して説明する。図７は、給湯・追焚装置の一例を示している。
【００４４】
測定容器としての浴槽２には循環口５を通して給湯・追焚装置１側の注湯回路４が連結され、即ち、戻り管１３２及び往き管１３４が接続されている。この実施の形態では、給湯及び追焚きについて記載しているが、給湯・追焚装置１は、図示しないが、暖房端末に熱媒としての温水を供給する熱源としても用いることができる。戻り管１３２及び往き管１３４の他端には熱交換器１３６が接続されて浴槽２との循環管路が構成されている。戻り管１３２には浴槽２の湯水を循環させるポンプ１１、水位検出手段としての水位センサ８、浴槽水７の温度を検出する追焚温センサ１４０、往き管１３４側だけから注湯をさせるための二方弁１４３が設けられ、ポンプ１１には動作時、水流の有無を検知するポンプ水流スイッチが併設されている。また、入水管１３９より給水される水Ｗは熱交換器１４１により加熱され、出湯管１４２を介して戻り管１３２に供給される。即ち、入水管１３９、出湯管１４２、戻り管１３２及び往き管１３４より注湯回路４が構成され、出湯管１４２は途中で分岐されて外部に湯ＨＷが供給されている。この出湯管１４２には開閉弁６、浴槽２への注水量を検出する水量センサ１０、浴槽２からの湯水の逆流を防止する逆止弁１４４が設けられている。また、入水管１３９には給水温センサ１４６、熱交換器１４１での加熱水量を検出する給水量センサ１４８が設けられている。また、熱交換器１４１の出口側近傍の出湯管１４２には熱交換器１４１からの出湯温度を検出する出湯温センサ１５０が設けられている。
【００４５】
熱交換器１３６及び熱交換器１４１には加熱手段として個別にバーナ１５２、１５４が設けられており、バーナ１５２、１５４には燃料管１５６、１５８より燃料ガスＧが供給される。燃料管１５６には燃料元弁１６０、燃料開閉弁１６２が設けられ、燃料管１５８には燃料開閉弁１６３、燃料比例弁１６４が設けられ、燃料ガスＧの供給、供給遮断及びその供給量の調整が行われる。また、各バーナ１５２、１５４の燃焼面近傍には点火器１６６、１６８が設けられ、これら点火器１６６、１６８により必要に応じてバーナ１５２、１５４への着火が行われる。この給湯・追焚装置１には制御装置１２及びリモコン装置１７０が設置されており、これら制御装置１２及びリモコン装置１７０は有線、無線等の通信手段により連係している。
【００４６】
そして、図８に示すように、制御装置１２には制御演算部１７２が設けられ、制御演算部１７２には、制御、演算を司る中央処理装置であるＣＰＵ１１００、データを一時記憶させるＲＡＭ１１０２、制御プログラム又は動作データが格納されたＲＯＭ１１０４、身長、体重等の個別情報を停電等から防護するＥＥＰＲＯＭ１１０６、ＴＩＭＥＲ１１０８、電圧等のアナログ信号をデジタル信号に変換するアナログ・デジタル変換器（Ａ／Ｄ変換器）１１１０、入出力ポート１１１２が設けられている。Ａ／Ｄ変換器１１１０には検出回路１１１４を介して水位センサ８、給水温センサ１４６、出湯温センサ１５０、追焚温センサ１４０が接続されている。また、入出力ポート１１１２には検出回路１１１６、駆動回路１１１８、送信回路１１２０、受信回路１１２２、運転切替部１１２３、ＬＥＤ１１２４が接続されており、検出回路１１１６には水量センサ１０、給水量センサ１４８が接続され、駆動回路１１１８にはポンプ１１、開閉弁６、二方弁１４３、燃料元弁１６０、燃料比例弁１６４、燃料開閉弁１６２、１６３、点火器１６６、１６８が接続されている。運転切替部１１２３は、その設定の１つとして試運転モードの開始機能を割り当て、また、別の設定に体積試運転モードの開始機能を割り当て、他に給湯試運転や暖房運転等を開始する機能を有し、又は別個のスイッチを以て構成でき、制御装置１２上に設置することで、施工業者が必要に応じて操作できるものである。ＬＥＤ１１２４は、体積表示の表示等、情報提示手段である。
【００４７】
また、図９に示すように、リモコン装置１７０には制御演算部１１３０が設置され、この制御演算部１１３０はＣＰＵ１１３２、ＲＡＭ１１３４、ＲＯＭ１１３６、ＥＥＰＲＯＭ１１３８、入出力ポート１１４０から構成されている。入出力ポート１１４０には検出回路１１４２、駆動回路１１４４、音声合成回路１１４６、受信回路１１４８、送信回路１１５０が接続されている。受信回路１１４８は制御装置１２側の送信回路１１２０と有線又は無線により接続され、送信回路１１５０は制御装置１２側の受信回路１１２２と有線又は無線により接続されている。検出回路１１４２には、たし湯スイッチ１１５１、自動スイッチ１１５３、その他のぬるく（給水）、追焚き等の指令スイッチや水位、温度等の設定スイッチ等、各種スイッチからなる給湯・追焚操作スイッチ群１１５２や、体脂肪率の測定を指令する体脂肪率測定スイッチ群１１５４が接続されている。自動スイッチ１１５３には、例えば連続５秒間等の所定時間の連続押しで、試運転の開始スイッチの機能（試運転スイッチ２４）が割り当てられ、たし湯スイッチ１５１には、体積試運転の開始スイッチの機能（体積試運転スイッチ２５）が割り当てられ、例えば、連続５秒間等の所定時間の連続押しで体積試運転モードに移行するように設定される。また、駆動回路１１４４には液晶、蛍光表示管、ブラウン管、ＬＥＤ等からなるガイダンス手段としての表示器１１５６が接続されている。また、音声合成回路１１４６には音声データが格納された音声メモリ１１５８、低周波音声信号増幅のための増幅器１１６０、ガイダンス手段としてスピーカ、ブザー等からなる発声器１１６２が接続されている。
【００４８】
次に、図１０及び図１１は、リモコン装置１７０の外観部分を示している。このリモコン装置１７０の装置本体１１６４には、表示器１１５６、体脂肪スイッチ１１７０、上スイッチ１１７２、下スイッチ１１７４、自動スイッチ１１５３等が設置されて情報入力器２０を構成し、その前面部には開閉蓋１１７８が開閉可能に設けられている。体脂肪スイッチ１１７０は、体脂肪率の測定指令スイッチであり、浴槽２に給水され、その水位が設定水位ｈｓｅｔ  に到達して設定温度まで沸き上げられたとき、その操作が有効となる。体脂肪スイッチ１１７０を約１秒間押すことにより、個別情報の入力画面に切り換えられる。さらに、体脂肪スイッチ１１７０を押すことにより、表示器１１５６の表示は、「登録番号」、「性別」、「身長」、「体重」、「年齢」等の入力画面に次々に切り換えることができる。図１２は表示器１１５６の初期表示を示している。そして、各入力項目は音声ガイダンスに従って、上スイッチ１１７２又は下スイッチ１１７４を押すことにより、表示器１１５６に表示された数値を切り換え、被測定者の身長、体重等と同一の数値を選択してＲＡＭ１１３４、ＥＥＰＲＯＭ１１３８に記憶することができる。また、記憶された各種個別情報は制御装置１２側のＲＡＭ１１０２、ＥＥＰＲＯＭ１１０６に転送される。各個別情報は制御装置１２、リモコン装置１７０のそれぞれのＥＥＰＲＯＭ１１０６、１１３８により停電等から防護される。個別情報を登録するための登録番号は、例えば０〜１０までの登録番号を選択して各種個別情報を記憶させることができる。プライバシーの保護のため、個別情報の秘匿手段として登録番号「０」をゲストモードとし、人体の体積、体脂肪率を測定、表示してから所定時間後に個別情報を自動消去することもできる。
【００４９】
また、浴槽２の湯張り動作が終了してから体脂肪スイッチ１１７０を軽く押すことにより体脂肪率測定動作に移行する。また、浴槽２の自動湯張り、沸上げは自動スイッチ１１５３を押すことにより実行される。
【００５０】
次に、体積試運転モードを図１３及び図１４を参照して説明する。図１３及び図１４は、体積試運転シーケンスのフローチャートを示している。Ａは、図１３及び図１４に示したフローチャート間の結合子である。
【００５１】
リモコン装置１７０の例えば、浴室リモコンのたし湯スイッチ１１５１を連続５秒押すと、体積試運転モードに入る（ステップＳ３１）。図５に示すフローチャートによって測定された単位水位上昇毎の水量データを、前もって自動試運転を行い、記憶しているか否かをチェックする（ステップＳ３２）。その水量データを記憶していなければ、体積計算できないので、「セット不良」異常停止にする。この場合、異常を表す点滅表示をする（ステップＳ３３）。
【００５２】
水量データの記憶があれば、所定時間だけポンプ１１を動作させて循環を行い（ステップＳ３４）、浴槽２の湯張り確認と、配管内のエアーパージを行う。所定時間の経過、例えば、３０秒の経過の後（ステップＳ３５）、ポンプ水流スイッチがオン（ＯＮ）（ステップＳ３６）しなければ、浴槽２に湯が張られていないので、「セット不良」異常停止にし、異常表示を行う（ステップＳ３７）。浴槽２に循環する湯があるとき、所定時間だけポンプ１１の運転を停止し（ステップＳ３８）、所定時間例えば、３０秒間の経過即ち、水位センサ８の検出値が安定するのを待つ（ステップＳ３９）。水位センサ８の検出値を所定時間毎例えば、０．５秒おきに取り込み、所定時間毎例えば、５秒間の平均が４ＳＬＢ（２ｍｍ相当）以内に安定したならば、その値を０点水位として記憶する（ステップＳ４０、ステップＳ４２）。所定時間例えば、２５秒間安定しない場合には、「セット不良」異常停止にする（ステップＳ４１）。
【００５３】
そして、開閉弁６を開け、所定量の注湯例えば、２４リットルの湯を注湯し、開閉弁６を閉じる（ステップＳ４３、ステップＳ４４及びステップＳ４５）。水位センサ８の検出値が安定化するのを待つため、所定時間例えば、３０秒間の経過の後（ステップＳ４６）、水位センサ８の値を所定時間毎例えば、０．５秒おきに取り込み、５秒間の平均が４ＳＬＢ（２ｍｍ相当）以内に安定したならば、その値と０点の値から既述の体積計算方法を用いて体積を算出する（ステップＳ４７、ステップＳ４９）。所定時間例えば、２５秒間安定しない場合には、「セット不良」異常停止とし、異常表示を行う（ステップＳ４８）。
【００５４】
算出された体積をリモコン装置１７０に表示する（ステップＳ５０）。この表示を所定量の注湯例えば、２４リットルと比較することにより、初期データが正常に記憶されたか確認することができる。再度たし湯スイッチ１１５１を押すか、体積を表示してから所定時間経過例えば、５分経過すると、体積試運転モードを終了する（ステップＳ５１）。
【００５５】
上記は体積試運転モードへの移行、体積表示はリモコン装置１７０で行っているが、運転切替部１１２３及びＬＥＤ１１２４を設けた制御装置１２を装着した製品においては、制御装置１２上の運転切替部１１２３に、体積試運転スイッチ等の設定を設けて、体積表示をＬＥＤ１１２４に表示することでも、体積試運転動作を実現することができる。
【００５６】
次に、この体脂肪率測定装置及びその方法の体脂肪率測定を図１５及び図１６に示すフローチャートを参照して説明する。Ａ、Ｂ及びＣは、図１５及び図１６に示したフローチャート間の結合子である。
【００５７】
自動スイッチ１１５３を押すと、自動湯張り動作が開始される。浴槽２への湯張り及び沸上げ動作が実行され、開閉弁６が開かれて浴槽２への給水が開始され、給水量センサ１４８により流水を検出すると、燃料元弁１６０、燃料開閉弁１６３及び燃料比例弁１６４が開かれ、点火器１６８の放電によってバーナ１５４の燃焼が開始される。浴槽２の水位は水位センサ８により検出され、浴槽２への給水量は水量センサ１０により検出される。戻り管１３２内が水で満たされる水量が注湯されると、水位検知が可能となるので、この時点で、二方弁１４３を閉止して水位センサ８により浴槽２の水位の監視を開始する。設定水位ｈｓｅｔ  に到達すると、開閉弁６及び燃料比例弁１６４を閉じ、二方弁１４３を開き、ポンプ１１を動作させた後、燃料開閉弁１６２を開き、点火器１６６を放電させてバーナ１５２を燃焼させ、浴槽２内の湯水の沸上げを行う。
【００５８】
先ず、追焚温センサ１４０の検出温度が設定温度に到達したか否かにより湯張り動作が完了したか否かの判定を行う（ステップＳ６１）。湯張り動作が完了していなければ、体脂肪スイッチ１１７０からの命令をキャンセルする（ステップＳ６２）。湯張り動作が完了している場合には、ポンプ１１を停止し、燃料開閉弁１６２及び燃料元弁１６０を閉止し、バーナ１５２の燃焼を停止し、また、リモコン装置１７０の体脂肪スイッチ１１７０の入力を許可する（ステップＳ６３）。入浴可能な環境が設定されたとき、体脂肪率の測定が許可される。
【００５９】
体脂肪スイッチ１１７０が１秒以上押されて情報入力モードが選択されたか否かが判定される（ステップＳ６４）。情報入力モードが選択されたときには個別情報の入力方法が音声によってガイダンスされる（ステップＳ６５）。例えば、「あなたの登録番号を選択してください」と、告知されたとき、０〜１０の登録番号の何れかを選択し、上スイッチ１１７２又は下スイッチ１１７４を押し、再び、体脂肪スイッチ１１７０を押して登録番号を記憶させる。次に、「身長を選択して下さい」と、告知されたときには同様の操作で身長を選択する。次に、「体重を選択して下さい」、「年齢を選択して下さい」、「性別を選択して下さい」等の告知に従い、被測定者の個別情報が入力される。体脂肪スイッチ１１７０を入力することにより各個別情報の記憶処理を完了する（ステップＳ６６）。
【００６０】
情報入力モードが選択されない場合（ステップＳ６４）、体脂肪スイッチ１１７０が１秒未満押されて体積表示モードが選択されたか否かが判定される（ステップＳ６７）。体積表示モードが選択されたとき、浴槽２への給湯、給水、追焚動作等が実行されているときには強制的に停止させて、体積測定のための水位測定準備動作に移行する（ステップＳ６８）。続いて、被測定者に対し、「浴槽から出てお待ち下さい」等、音声による告知をし、被測定者に浴槽２外に出ることを促す（ステップＳ６９）。次に、浴槽２内の水位測定を開始し、被測定者が浴槽２外に出たことによる水位変動が所定時間内に所定レベルまで沈静化したか否かを判定する（ステップＳ７０）。水位変動が所定時間内に沈静化したときには、浴槽２の現在の水位を測定する（ステップＳ７１）。これが体積測定の基準となる水位であって、設定水位又はそれ以外の水位であり、換言すれば、被測定者が浴槽２外にいるときの浴槽２の水位である。また、所定時間内に水位変動が沈静化していなければ、体積表示モードをキャンセルする（ステップＳ７７）。
【００６１】
水位の測定が終了すると、「浴槽に静かにお入り下さい」等、音声による告知により、水面に変動を生じさせないように入浴を促す（ステップＳ７２）。次に、「あなたの登録番号を選択して下さい」等、音声により告知し、体脂肪スイッチ１１７０を押して個別情報が格納された登録番号を選択するように案内する（ステップＳ７３）。このとき、前述したゲストモードによる個別情報の入力を行うこともできる。被測定者の登録番号を確認し、登録された各個別情報を読み込む（ステップＳ７４）。
【００６２】
次に、「測定を始めます。体を動かさないで下さい。」等、音声による告知を行い、水位測定を開始する（ステップＳ７５）。浴槽２内の水位変動が所定時間内に所定レベルまで沈静化したか否かを判定する（ステップＳ７６）。所定時間内に水位変動が沈静化していないときには、体積測定が不能と判断して、体積表示モードをキャンセルさせ（ステップＳ７７）、ステップＳ６４に移行させる。また、所定時間内に水位が安定したとき、「３、２、１、ピピ」等の水位測定終了を予告する音声を発し（ステップＳ７８）、かつ水位の測定を記憶する（ステップＳ７９）。この水位測定終了を告知することにより被測定者は体積測定のための静止状態から開放される。
【００６３】
そして、被測定者が浴槽２に入る前の水位と被測定者が浴槽２に入ったときの上昇水位との差から被測定者の水没部分の体積を演算し、表示器１１５６に表示する。
【００６４】
次に、体脂肪率表示モードが選択されたか否かが判定される（ステップＳ８０）。所定時間内に体脂肪スイッチ１１７０の入力が確認されたときには、ステップＳ８１以下の体脂肪率表示モードに移行する。所定時間内に体脂肪スイッチ１１７０の入力がなければ、体積表示モードを終了させ（ステップＳ７７）、ステップＳ６４に移行する。また、所定時間経過したら体脂肪率表示モードに移行させてもよい。この場合、所定時間内に体脂肪スイッチ１１７０の入力が検出されたときには、体積表示モードを終了させてステップＳ６４に移行させてもよい。
【００６５】
被測定者の個別情報、例えば身体データから頭部体積を表す推定値と、通常呼吸時の肺及び腸内の残留空気量に相当する体積を表す推定値を式（５）〜（１０）を用いて演算する。この推定値については、予め設定した統計値等を推定値とし、その推定値を選択してもよい。
【００６６】
水没部分の体積と演算又は選択した推定値とを用いて人体の全体積を演算し（ステップＳ８１）、この全体積と体重等を用いて式（１１）より体脂肪率を演算し、表示器１１５６に表示する（ステップＳ８２）。被測定者が、測定時の深呼吸や動揺により測定誤差を懸念し、再測定を希望する場合がある。この再測定のため、浴槽２外に出ることは面倒であり、その場合には、ステップＳ８３に移行し、体脂肪率の再測定命令が成されたか否かを判定する。所定時間内に体脂肪スイッチ１１７０が押された場合には、ステップＳ７５に移行し、入浴状態における水位測定を再び実行して体積又は体脂肪率を表示させることができる。ステップＳ８３において、所定時間内に体脂肪スイッチ１１７０の入力が検出されなければ、体脂肪率表示モードを終了するとともに、ゲストモードが実行されているときには、登録番号「０」に記憶された個別情報を消去してステップＳ６４に移行する。なお、ゲストモードで登録された個別情報はステップＳ７６からステップＳ６４に移行するとき、ステップＳ８０からステップＳ６４に移行するときにも消去してもよい。
【００６７】
なお、本発明の体脂肪率測定装置及びその方法は図１５及び図１６に示すフローチャートに開示された制御動作に限定されるものではなく、任意のステップを選択して実行したり、あるいはステップの順序を変えて実行したり、また、任意のステップを省いて実行させてもよい。
【００６８】
また、本発明の体脂肪率測定方法において、体脂肪率測定は、浴槽水中に所定時間だけ人体を沈めたとき、水位の上昇開始点から上昇終了点までの体積を単位水位当たりの水量の加算により算出している。この場合、被測定者が呼吸をすると、人体の体積が変動して測定誤差を生じるおそれがあるが、所定時間だけ人体を浴槽水中に沈めて体積を測定すれば、呼吸による体積変動が平均化されるので、体積の真値が得られる。このため、被測定者に呼吸を止める等の無理を強いることなく、体脂肪率の測定精度を高めることができる。
【００６９】
また、浴槽２の内形状として段部２６が存在するものについて説明したが、本発明は、凹凸部のない浴槽でもよく、複雑な凹凸形状を持つものでもよく、アームレスト等の段部２６を持つものに限定されるものではない。
【００７０】
【発明の効果】
以上説明したように、本発明によれば、次の効果が得られる。
ａ  本発明の体脂肪率測定装置及びその方法によれば、浴槽の内形状が複雑であっても、その浴槽の水中に人体を可能な限り入れて体積測定を行うだけで正確な体脂肪率を測定することができるとともに、施工時に施工業者が、試運転を行い、体脂肪率を計算するのに必要な、初期データを記憶した後、実際に浴槽に入浴しなくても、初期データが正常に記憶されたことを確認することができる。しかも、実際に使用者が入浴し、体脂肪率を計ろうとしたときに、初期データの取込みが正常に行われていなかったために、体脂肪率の表示がおかしいというトラブルを回避することができる。
【００７１】
ｂ  制御手段に注湯体積の試運転測定制御動作の開始スイッチを備えた構成にすれば、施工時に開始スイッチを操作することで、容易に体脂肪率測定の試運転モードに移行させ、初期データの真偽を確認することができる。
【図面の簡単な説明】
【図１】本発明の実施形態に係る体脂肪率測定装置を示す図である。
【図２】浴槽を示す図である。
【図３】施工作業を示すフローチャートである。
【図４】水位の測定プログラムを示すフローチャートである。
【図５】浴槽形状を記憶するための試運転動作プログラムを示すフローチャートである。
【図６】浴槽水中の人体の体積の測定方法を示す図である。
【図７】本発明の実施形態に係る給湯・追焚装置の一例を示す図である。
【図８】制御装置を示すブロック図である。
【図９】リモコン装置を示すブロック図である。
【図１０】リモコン装置の外観構成を示す正面図である。
【図１１】開閉蓋を開いたリモコン装置の開閉蓋内の構成を示す正面図である。
【図１２】表示器を示す図である。
【図１３】体積試運転モードを示すフローチャートである。
【図１４】図１３に続く体積試運転モードを示すフローチャートである。
【図１５】体脂肪率測定動作を示すフローチャートである。
【図１６】図１５に続く体脂肪率測定動作を示すフローチャートである。
【符号の説明】
１  給湯・追焚装置
２  浴槽
４  注湯回路
８  水位センサ（水位検出手段）
１２  制御装置（制御手段）
２２  表示装置（情報提示手段）
２５  体積試運転スイッチ（開始スイッチ）
【図１】
2004278896.tif 000005
【図２】
2004278896.tif 000006
【図３】
2004278896.tif 000007
【図４】
2004278896.tif 000008
【図５】
2004278896.tif 000009
【図６】
2004278896.tif 000010
【図７】
2004278896.tif 000011
【図８】
2004278896.tif 000012
【図９】
2004278896.tif 000013
【図１０】
2004278896.tif 000014
【図１１】
2004278896.tif 000015
【図１２】
2004278896.tif 000016
【図１３】
2004278896.tif 000017
【図１４】
2004278896.tif 000018
【図１５】
2004278896.tif 000019
【図１６】
2004278896.tif 000020